(57)【要約】【課題】縁石鋲について、車両の運転時にドライバーの視認性を確保することに加え、歩行者にも所定の情報を伝達できるものとする。【解決手段】表面所定位置に再帰反射体１０を配置して視認性を確保することによりドライバーの視線誘導または境界位置確認を促す縁石鋲１Ａにおいて、少なくとも再帰反射体１０，１０以外の外面を構成する部分が所定の素材を成型してなる成型部品である外殻部２Ａからなり、外殻部２Ａの表面所定位置に所定の情報を文字またはマークで表示する表示部３を設けた。【選択図】図１
0003136032.tif 000002
【実用新案登録請求の範囲】
【請求項１】
表面所定位置に再帰反射体を配置して視認性を確保することにより視線誘導または境界位置確認等を促す縁石鋲において、少なくとも前記再帰反射体以外の外面を構成する部分が所定の素材を成型してなる成型部品からなり、該成型部品の表面位置に所定の情報を文字またはマーク等で表示する表示部が設けられていることを特徴とする縁石鋲。
【請求項２】
前記表示部が、前記成型部品を射出成型する際に表面に凹凸を付与することにより設けられることを特徴とする請求項１に記載した縁石鋲。
【請求項３】
前記表示部が、所定の情報を平面的に表示したフィルムを前記成型部品用の金型内に挟み込むことによるインモールド成型により設けられることを特徴とする請求項１に記載した縁石鋲。
【請求項４】
前記表示部が、板材の表面に前記情報を表示したものを前記成型部品表面に設けた凹部に埋め込んで固定することにより設けられることを特徴とする請求項１に記載した縁石鋲。
【請求項５】
前記表示部が、前記情報を前記成型部品表面に直接プリントまたはプリントしたシートを貼付することにより設けられることを特徴とする請求項１に記載した縁石鋲。
【請求項６】
請求項３，４または５に記載した縁石鋲において、前記成型部品を形成する前記素材に蓄光顔料または蛍光顔料を混入または表面塗布されて所定の状態で発光させることにより、前記表示部の文字またはマークのみが光を遮ることによりその輪郭が表示されることを特徴とする縁石鋲。
【請求項７】
請求項３，４または５に記載した縁石鋲において、前記表示部の文字またはマークの部分が蓄光顔料または蛍光顔料を素材に混入または表面塗布されて所定の状態で発光させることにより、前記表示部の文字またはマークのみが発光してその輪郭が表示されることを特徴とする縁石鋲。
【考案の詳細な説明】
【技術分野】
【０００１】
本考案は、リフレクター等による反射光や発光ダイオード、畜光材等による照射光でドライバーや歩行者等に視認させ視線を誘導したり境界位置を確認させたりするために道路や駐車場の縁石等に配設される縁石鋲に関するものである。
【背景技術】
【０００２】
ガラスビーズやプリズム等のリフレクターを有し、暗い状況における視認性を高いものとしてドライバーの視線を誘導するとともに境界位置を確認させる縁石鋲が広く普及している。この縁石鋲を路面や縁石に配置することにより、道路線形や道路幅員の確認を容易化して縁石乗り上げ等のトラブルを回避可能としている。
【０００３】
また、特にヘッドライト等の光源によらずに縁石鋲の視認性を確保するとともに電源や照明具等の複雑な部品を必要としない技術として、特開２００４−３２４２４２号公報や特開２００５―２７３２６６号公報に記載されているように、縁石鋲に蓄光顔料を配合した樹脂カバーを取り付け完全に暗くなるまでの所定期間だけ発光させて視認性を確保する技術も知られている。
【０００４】
ところで、これら従来の縁石鋲は主として走行時におけるドライバーの視線誘導・境界位置確認の目的を想定したものが殆どであるが、これらが駐車場や歩行者通路付近の縁石や車止め等にも利用することができるが、通常は駐車場や道路の区画状態等を示すだけの機能を有するものであった。
【０００５】
一方、駐車場や歩行者通路付近において、目的の駐車スペース位置や目的施設名等の情報を視認性に優れた状態で表示する手段がなく、従来、地面に書いた表示や店舗に設置する看板等を表示手段としていた。
【０００６】
従って、ドライバーや歩行者等は目的の駐車スペース位置や目的施設等を確認するのに多大な注意を払う必要があり、また、施設側にとっても案内または宣伝効果を上げることができず、特に夜間等において照明が充分でない場合には著しい。    
【特許文献１】特開２００４−３２４２４２号公報
【特許文献２】特開２００５―２７３２６６号公報
【考案の開示】
【考案が解決しようとする課題】
【０００７】
本考案は、上記のような状況に鑑みてなされたものであり、道路等に設置される縁石鋲について車両を運転するドライバーの視認性を確保する目的だけでなく、駐車スペース位置や目的施設のように道路設備や施設についての案内や情報を目的とすることが可能な縁石鋲を提供することを課題とする。
【課題を解決するための手段】
【０００８】
前記課題を解決するためになされた本発明である縁石鋲は、表面所定位置に再帰反射体を配置して視認性を確保することにより視線誘導または境界位置確認等を促す縁石鋲において、少なくとも前記再帰反射体以外の外面を構成する部分が所定の素材を成型してなる成型部品からなり、該成型部品の表面位置に所定の情報を文字またはマーク等で表示する表示部が設けられていることを特徴とする。
【０００９】
このように、縁石鋲の表面所定位置に所定の情報を表示する表示部を設けたことにより、ドライバーの視認性を確保する機能に加え、例えば施設名等のような道路に関連して必要とされる情報を歩行者に伝達する機能をも発揮させることができる。
【００１０】
また、前記表示部を、成型部品を射出成型する際に表面に凹凸を付与することにより設けるものとすれば、表示部がきわめて簡易に設けられるとともに堅固なものとなり、或いは、所定の情報を平面的に表示したフィルムをその成型部品用の金型内に挟み込むことによるインモールド成型で表示を設ける場合には所望の情報を精密に表示できるものとなる。
【００１１】
或いはまた、板材の表面にその情報を表示したものを成型部品表面の凹部に埋め込んで固定することにより表示部を設けるものとすれば、表示と本体とを別個に製作可能で多種多様の情報を比較的低コストで設けることが可能となり、或いはさらに、その情報を成型部品表面に直接プリントまたはシート貼付により設けられたものとすれば、一層コストの低廉なものとなる。
【００１２】
さらにまた、上述のインモールド成型または板材埋め込み、或いはプリントまたはシート貼付により表示部を設けた縁石鋲において、成型部品が蓄光顔料または蛍光顔料を素材に混入または表面塗布されてなり、表示部の文字またはマークのみが光を遮ることによりその輪郭を表示されるものとすれば、暗い状況で表示部の情報が一層目立つものとなる。
【考案の効果】
【００１３】
表面所定位置に所定の情報を表示する表示部を設けた本考案によると、運転時にドライバーの視認性を確保することに加え、歩行者にも所定の情報を伝達することを可能としたものである。
【考案を実施するための最良の形態】
【００１４】
以下に、図面を参照しながら本考案を実施するための最良の形態を説明する。
【００１５】
図１（Ａ）は、本考案における実施の形態である縁石鋲１Ａの平面図を示しており、図１（Ｂ）はその正面図である。縁石鋲１Ａは、道路や駐車場の縁石または路面等に配設され、再帰反射体等のリフレクターによる反射光でドライバーの視認性を高めて視線を誘導したり境界位置を確認させたりする機能を有している。
【００１６】
また、本実施の形態における縁石鋲１Ａは、平面視方形の四角錐を所定高さの水平面で上３分の２程度を切除したような台座状の形状を有しており、その２つの傾斜面にガラスビーズまたはプリズムを内蔵した板状の再帰反射体１０，１０を配設されたものであり、ヘッドライト等の光を効率的に反射してドライバー等に対する視認性を良好に確保できるようになっている。
【００１７】
前記再帰反射体１０，１０以外の外面露出部分は、所定厚さの適宜硬質の合成樹脂成型部品からなる外殻部２Ａで構成されており、この外殻部２Ａは合成樹脂素材に蛍光顔料または蓄光顔料が混入され、例えばヘッドライトの灯等が照射されなくても自身が発光して視認性を高めたものである。このように本実施の形態では。表面部分を別部品としたことで、比較的高価な蛍光顔料または蓄光顔料を用いる部分を少なくすることが可能となり、コスト面で有利なものとなる。尚、この構成は従来の縁石鋲と共通したものであり既に周知の技術である。
【００１８】
そして、図１（Ａ）に示すように、本実施の形態の縁石鋲１Ａは外殻部２Ａの上面平坦部分の略中央部に所定の情報を表示した表示部３を設けた点が本考案の特徴部分となっている。特に、本実施の形態における表示部３で表示する情報としては、例えば駐車場における駐車スペースの車止めに配置する場合の駐車場契約者や使用者等の名称があり、駐車場や道路において歩行者の歩行経路近くの路面または縁石上に設ける場合の宣伝用または案内用の文字（店舗名等）等が想定される。尚、本実施の形態では複数個のローマ字が併設されてものが示されているが、表示部は氏名や店名、地名等の文字や商標、キャラクター、図柄等伝えたい情報を表示するものであればよく、特に限定されるものでなく平面的であると立体的であるとを問わない。
【００１９】
このように、縁石鋲１Ａにおける表面の見やすい場所に表示部３を設けたことにより、ドライバーの視認性確保機能に加えて、設置者が歩行者に伝達したい種々の情報を表示する機能を発揮するものとなる。
【００２０】
図２（Ａ），（Ｂ），（Ｃ），（Ｄ）は、本実施の形態の縁石鋲１Ａにおいて表示部３を外殻部２Ａに表示する手段を例示したものであり、各々図１（Ａ）のＸ−Ｘ線に沿って切断した端面図で示している。
【００２１】
図２（Ａ）に示したものは、外殻部２Ａを製作する際に、金型に予め所定の情報を表示するための凹凸部分を反転状態で設けておき、射出成型により外殻部２Ａ表面に文字等を表示する凹凸３１を設けることで立体的な表示部３Ａを設けた場合を示している。このようにしたことで、外殻部２Ａを成型して製作すると同時に表示部３Ａが一体的に表示され、作成時の手間が軽減されるとともに表示部３Ａが脱落の心配のない堅固なものとなる。
【００２２】
図２（Ｂ）に示したものは、合成樹脂による射出成型の場合に、予め所定の情報を平面的に表示したフィルム３２を金型内に挟み込んでおき、射出成型により外殻部２Ａ表面にフィルム３２を一体的に設けた、所謂インモールド成型による場合を示している。このようにしたことで、外殻部２Ａ表面に繊細な色彩や繊細な形状を鮮明に表示することができる。
【００２３】
図２（Ｃ）に示したものは、板材の表面に所定の情報を表示した表示板３３を、これとほぼ同一形状となるように外殻部２表面に設けた凹部２１に埋め込んで固定することにより表示部３Ｃを設けた場合を示している。このようにしたことで、表示部３Ｃを本体と別個に製作可能となり、外殻部２Ａを初めとする本体側が共通部品として使用できるため、多種多様の情報を比較的低コストで設けることが可能となる。
【００２４】
図２（Ｄ）に示したものは、外殻部２Ａ表面に所定の情報を直接プリントしてなる塗装３４を付することにより表示部３Ｄを設けた場合を示している。この場合、プリントの方法としては、所定のフィルムまたはシートに情報を印刷しておき、これを外殻部２Ａ表面に接着または熱転写等して設けることが想定される。この場合も図２（Ｃ）同様に、外殻部２Ａを初めとする本体側を共通部品として低コストで実現できるものとなる。尚、所定の情報を表面に印刷した所定のフィルムまたはシートを貼り付けるシール貼付等の手段によっても、上記同様に表示部を設けることができる。
【００２５】
図３（Ａ）を参照して、前述の図２（Ｂ），（Ｃ）における表示部３Ｂ，３Ｃのフィルム３２，表示板３３による文字またはマークが光透過性に乏しい塗料で付与されてその部分が光の透過を遮るものとし、その他の部分を光透過性に優れた（ほぼ透明）素材からなるものとして、蛍光顔料または蓄光顔料を混入した合成樹脂で成型した外殻部２Ｂに設ける場合を示している。
【００２６】
このようにして表示部３Ｂまたは３Ｃを設けた縁石鋲１Ｂは、図２（Ｂ）に示すように、周囲が暗い状況において発光して高い視認性を発揮するものであるが、文字情報等が黒抜きで輪郭をはっきりと表示されることから、歩行者等の目を一層引きやすいものとなる。尚、シートに所定の情報を表示して貼付する場合もこれと同様に実施することができる。
【００２７】
尚、本実施の形態では表示部３を光の透過を遮断する用に構成したが、逆に文字情報等の部分を光透過性に優れた素材により形成してもよい（図示せず）。
【００２８】
図４及び図５は、再帰反射体１１を１枚にして１面反射式とした場合の応用例である縁石鋲１Ｃ，１Ｄを示している。これらは、例えば図６に示すように駐車場の車止め５０上面に設ける場合のように正面方向のみの反射を想定したものであり、外殻部２Ｃの上面側で２段の平坦部２２または２３のいずれかに表示部３を設けた場合を示している。この場合も上述の図２同様の表示部の表示方法が想定され同様の作用・効果が期待できるものであるが、より低コストで実施できる点を特徴としている。
【００２９】
以上、述べたように縁石鋲について、本考案により車両の運転時にドライバーの視認性を確保することに加え、歩行者にも所定の情報を伝達できるものとなった。
【００３０】
尚、本実施の形態ではリフレクターと畜光材とを用いた縁石鋲について説明したが、本考案はこれらの縁石鋲に限らず、例えばリフレクターや畜光材だけを用いたもの或いは電気式の発光装置を備えたもの等各種の縁石鋲について実施することができるものである。
【図面の簡単な説明】
【００３１】
【図１】（Ａ）は本考案の実施の形態を示す平面図、（Ｂ）は（Ａ）の縁石鋲の正面図。
【図２】（Ａ），（Ｂ），（Ｃ），（Ｄ）は、図１（Ａ）の縁石鋲の表示部の配設方法を説明するためのＸ−Ｘ線に沿う端面図。
【図３】（Ａ）は図１（Ａ）の縁石鋲の応用例における表示部を示す拡大部分図、（Ｂ）はその作用時の状態を示す平面図。
【図４】（Ａ）は図１（Ａ）の縁石鋲の他の応用例を示す平面図、（Ｂ）は（Ａ）の縁石鋲の正面図。
【図５】図１（Ａ）の縁石鋲の他の応用例を示す平面図。
【図６】図４（Ａ）の縁石鋲の使用状態を示す斜視図。
【符号の説明】
【００３２】
１Ａ，１Ｂ，１Ｃ，１Ｄ  縁石鋲、２Ａ，２Ｂ，２Ｃ  外殻部、３，３Ａ，３Ｂ，３Ｃ，３Ｄ  表示部、１０，１１  再帰反射体、２１  凹部、３１  凹凸、３２  フィルム、３３  表示板、３４  塗装、５０  車止め
【図１】
0003136032.tif 000003
【図２】
0003136032.tif 000004
【図３】
0003136032.tif 000005
【図４】
0003136032.tif 000006
【図５】
0003136032.tif 000007
【図６】
0003136032.tif 000008
【手続補正書】
【提出日】平成19年7月17日(2007.7.17)
【手続補正１】
【補正対象書類名】図面
【補正対象項目名】図１
【補正方法】変更
【補正の内容】
【図１】
0003136032.tif 000009
【手続補正２】
【補正対象書類名】図面
【補正対象項目名】図３
【補正方法】変更
【補正の内容】
【図３】
0003136032.tif 000010
【手続補正３】
【補正対象書類名】図面
【補正対象項目名】図４
【補正方法】変更
【補正の内容】
【図４】
0003136032.tif 000011
【手続補正４】
【補正対象書類名】図面
【補正対象項目名】図５
【補正方法】変更
【補正の内容】
【図５】
0003136032.tif 000012